(57)【要約】      （修正有）【課題】非防水型のバイメタルサーモを使用して給水器の水の温度を計測する事ができるバイメタルサーモ保護器を提供する。【解決手段】六角柱の部材の軸方向に削り込みを入れ、その底部を薄く残し、底部から少し離れた所より内部を女螺子に穿設したキャップ状の中に、バイメタルサーモを挿入し、給水器の底部部に、取り付け穴を開け、センサー温度伝達部材を給水器の内側に入れ、その外側より、パッキン、下部保護部材で締め付け固定する。【選択図】図２
0003162464.tif 000002
【実用新案登録請求の範囲】
【請求項１】
六角柱型金属部材の軸方向に削り込みを入れ、その底部を薄く残し、底部から少し離れた所より内部を女螺子に穿設した部材をセンサー温度伝達部材とし、その内部にバイメタルサーモを挿入し、給水器の底部部に、取り付け穴を開け、センサー温度伝達部材を給水器の内側に入れ、その外側より、パッキン、下部保護部材で締め付け固定する事ができる筐体、これらを一体となった事を特徴とするバイメタルサーモ保護器。
【請求項２】
円柱型金属部材の軸方向に削り込みを入れ、その底部を薄く残し、底部から少し離れた所より内部を女螺子に穿設した部材をセンサー温度伝達部材とし、その内部にバイメタルサーモを挿入し、給水器の底部部に、取り付け穴を開け、センサー温度伝達部材を給水器の内側に入れ、その外側より、パッキン、下部保護部材で締め付け固定する事ができる筐体、これらを一体となった事を特徴とするバイメタルサーモ保護器。
【考案の詳細な説明】
【技術分野】
【０００１】
本考案は、牛豚等の家畜に水を与える家畜用給水器にバイメタルサーモ取り付けに関するものである。
【背景技術】
【０００２】
近年、幼牛から肥育牛に年間を通して20度前後の温水を与えるのが食物の消化に役立ち、体温を下げず、飼育にとって効果が有ると認識されていて、温水を与えるのが重要である。
そのため、その温度管理が重要になった。従来、図1 に示すように、給水器の下部または後部に露出型サーモを付け、電熱器の電流を制御するものが一般的であった。しかし、この場合は、温水の温度を調べるのではなく器の温度を感知して制御をしていた。
牛馬等の飼育舎などでは、冬に飲水カップの飲み水が凍結していまい、その解決としては、保温電熱器で解凍する方法や、トーチバーナーで暖め解凍しなければならない。
また、近年家畜は、臭い公害問題で山間部の生産が多くなり、寒期に於いて夜間、飲水器の凍結で生産に障害が発生している。そのため給水を温水にする必要が大である。
【考案の概要】
【考案が解決しようとする課題】
【０００３】
従来の給水器は  図1のように、電熱器を具備して、そこに電流を流し、水を温水にしていた。器の下部又は後部などに、露出型サーモ(14)を具備し、給水器の器の温度を感知して、電熱器の電流を制御していた。しかし、この方法では、温水の温度を正確に計測する事が困難であり、又、水を温めるまでのエネルギーの無駄が多かった。
【０００４】
また、水中に温度センサーを沈めるものもあるが、長年の使用では絶縁が取れなくなったり、家畜等のいたずらにより故障も発生する。
【課題を解決するための手段】
【０００５】
図２に示すように、六角柱の金属部材の軸方向に削り込みを入れ、その底部、温度感知部(1a)を薄く残し、底部から少し離れた所より内部を女螺子に穿設したセンサー温度伝達部材(1)に、その内部にバイメタルサーモ(2)を挿入し、緩衝材(3)、バネ(4)を入れ、パッキン(5)を入れ、下部保護部材(6)で締め付け固定する。
【０００６】
図3に示すように、給水器の底部部に、給水器取り付け穴(23)を開け、センサー温度伝達部材(1)を給水器の内側に入れ、その外側より、パッキン(5)、下部保護部材(6)で締め付け固定する。
本考案を使用する事により給水器の水中温度を容易に計測できる。
【考案の効果】
【０００７】
図3に示すように、センサー温度伝達部材(1)を受水槽(9)内側底辺より入れ、受水槽(9)の底辺外側より、パッキン(5)を入れ、下部保護部材(6)で締め付け固定する。バイメタルサーモ(2)は、センサー温度伝達部材(1)の筐体を通して受水槽(9)の水温を感知し、電熱器(8)の電源を制御する。バイメタルサーモ(2)が水に直接触れないため漏電による故障が無く、又、非防水型のバイメタルサーモでも本考案の筐体を使用する事により、水中温度を容易に感知して、電熱器(8)の電源の制御ができる。
【図面の簡単な説明】
【０００８】
【図１】従来の飲水器の断面図
【図２】本考案のバイメタルサーモ保護器断面図と傾斜図
【図３】本考案のバイメタルサーモ保護器を付けた給水器の部分断面図
【図４】本考案のバイメタルサーモ保護器を付けた給水器の全体傾斜図
【図５】本考案を飲水器に付け、その内側から見た傾斜図
【図６】本考案のバイメタルサーモ保護器を横に付けた給水器の部分断面図
【図７】本考案の丸型バイメタルサーモ保護器断面図と傾斜図
【図８】本考案の丸型バイメタルサーモ保護器にL型下部保護部材を付けた傾斜図
【図９】本考案の丸型バイメタルサーモ保護器に延長保護部材を付けた傾斜図
【図１０】本考案のバイメタルサーモ保護器にカバーナットを付けた傾斜図と断面図
【考案を実施するための形態】
【０００９】
以下、本発明の家畜用給水器の好適な実施形態について、図面を参照して詳細に説明する。
【００１０】
本考案の給水器  図２ に示すように、センサー温度伝達部材(1) 、緩衝材(3)、バネ(4) 、下部保護部材(6) 、 から構成される。
【００１１】
図２に示すように、六角柱の部材の軸方向に削り込みを入れ、その底部、温度感知部(1a)を薄く残し、底部から少し離れた所より内部を女螺子に穿設したセンサー温度伝達部材(1)に、その内部にバイメタルサーモ(2)を挿入し、緩衝材(3)、バネ(4)を入れ、パッキン(5)を入れ、下部保護部材(6)で締め付け固定する。
【００１２】
図3に示すように、給水器の底部部に、給水器取り付け穴(23)を開け、センサー温度伝達部材(1)を給水器の内側に入れ、その外側より、パッキン(5)、下部保護部材(6)で締め付け固定する。
【実施例】
【００１３】
以下添付図面に従って説明する。
図3に示すように、六角柱の部材の軸方向に削り込みを入れ、その底部、温度感知部(1a)を薄く残し、底部から少し離れた所より内部を女螺子に穿設したセンサー温度伝達部材(1)に、その内部にバイメタルサーモ(2)を挿入し、緩衝材(3)、バネ(4)を入れ、パッキン(5)を入れ、下部保護部材(6)で締め付け固定する。
【００１４】
給水器の底部部に、給水器取り付け穴(23)を開け、センサー温度伝達部材(1)を給水器の内側に入れ、その外側より、パッキン(5)、下部保護部材(6)で締め付け固定する。また、センサー温度伝達部材(1)は、熱伝導率の良い部材で製作する。例  部材は、アルミ合金、真鍮等。
【００１５】
図３  受水槽(9)に水を貯め、電熱器(8)の電熱器電極(15)より通電して水を温め、ある一定の温度になると温度感知部(1a)に接したバイメタルサーモ(2) が感知して通電を止め、電熱器(8)が停止する。
【００１６】
図５  センサー温度伝達部材(1)は、受水槽(9)の水面(13)よりやや下に取り付け、電熱器(8)への給電をセンサー温度伝達部材(1)内のバイメタルサーモ(2)で給水器内の水温を感知して制御する。
【００１７】
図３  給水器の水は、給水口(12)から上水道を取り込み、フロート(10)の位置により、ボールタップ(11)から流入する。
【００１８】
図６においては、受水槽(9)の横面に穴を開け、センサー温度伝達部材(1)を、受水槽(9)の内側に入れ、その外側より、パッキン(5)を入れ、下部保護部材(6)で締め付け固定すれば、横向きに使用する事もできる。
【００１９】
図6  バイメタルサーモ(2)は、耐久時間が限られており、性能が落ちだ場合、交換しなければならない、本考案では、L型下部保護部材(18)を緩める事により簡単に交換ができる事を特徴とする。
又、L型下部保護部材(18)を締め付けるとバネ(4)に弾力性が有るためバイメタルサーモ(2)を適度にセンサー温度伝達部材(1)へ押し付け、密着して固定できる。
【００２０】
図4においては、センサー温度伝達部材(1)を、受水槽(9)内底部に取り付けた所を示している。
【００２１】
図７に示すように、円柱の部材の軸方向に削り込みを入れ、その底部、温度感知部(1a)を薄く残し、底部から少し離れた所より内部を女螺子に穿設したセンサー温度伝達部材(1)に、その内部にバイメタルサーモ(2)を挿入し、緩衝材(3)、バネ(4)を入れ、パッキン(5)を入れ、下部保護部材(6)で締め付け固定する事もできる。
【００２２】
図８に示すように、円柱の部材の軸方向に削り込みを入れ、その底部、温度感知部(1a)を薄く残し、底部から少し離れた所より内部を女螺子に穿設したセンサー温度伝達部材(1)に、その内部にバイメタルサーモ(2)を挿入し、緩衝材(3)、バネ(4)を入れ、パッキン(5)を入れ、L型下部保護部材(18)で締め付け固定すれば、給水器の横に取り付ける事ができ、又、L型下部保護部材(18)を取外す事で、バイメタルサーモ(2)を簡単に交換できる。
【００２３】
図８に示すように、円柱の部材の軸方向に削り込みを入れ、その底部、温度感知部(1a)を薄く残し、底部から少し離れた所より内部を女螺子に穿設したセンサー温度伝達部材(1)に、その内部にバイメタルサーモ(2)を挿入し、緩衝材(3)、バネ(4)を入れ、パッキン(5)を入れ、延長保護部材(22)で締め付け固定すれば、深い液体の温度を計測する事ができる。
【００２４】
図10に示すように、センサー温度伝達部材(1)を、軸方向に対して両側より削り込み、中央を薄く残し、その片方を底部から少し離れた所より内部を女螺子に穿設したセンサー温度伝達部材(1)に、その内部にバイメタルサーモ(2)を挿入し、パッキン(5)を入れ、カバーナット(19)で締め付け固定し、バイメタルサーモ(2)から出ている電線(7)をナット貫通孔(21)に通し外に出し、その先端に接続端子(20)を取り付ける。センサー温度伝達部材(1)の先端、温度感知部(1a)を少し長くする事により温度を感知しやすくする事ができる。この様にセンサー温度伝達部材(1)の外側を変える事により、温度を拾いやすくする事もできる事が特徴である。また、カバーナット(19)を外す事で、バイメタルサーモ(2)を簡単に交換できる。       
【符号の説明】
【００２５】
１    センサー温度伝達部材
１a   温度感知部
２    バイメタルサーモ
３    緩衝材
４    バネ
５    パッキン
６    下部保護部材
７    電線
８    電熱器
９    受水槽
１０  フロート
１１  ボールタップ
１２  給水口
１３  水面
１４  露出型サーモ
１５  電熱器電極
１６  水
１７  ナット
１８  L型下部保護部材
１９  カバーナット
２０  接続端子
２１  ナット貫通孔
２２  延長保護部材
２３  給水器取り付け穴
【図１】
0003162464.tif 000003
【図２】
0003162464.tif 000004
【図３】
0003162464.tif 000005
【図４】
0003162464.tif 000006
【図５】
0003162464.tif 000007
【図６】
0003162464.tif 000008
【図７】
0003162464.tif 000009
【図８】
0003162464.tif 000010
【図９】
0003162464.tif 000011
【図１０】
0003162464.tif 000012